(57)【要約】      （修正有）【課題】小型化及び低コストで節水及び殺菌消臭を図ることができる節水小便器を提供する。【解決手段】殺菌消臭水生成装置を備えた節水小便器は、三方口電磁弁を介して給水栓２に接続される殺菌消臭水生成装置１と、殺菌消臭水生成装置１と接続された第１の薬液容器及び第２の薬液容器を備えた薬液供給部６０と、小便器本体１０１と、小便器本体１０１の上部に取付けられたスプレー洗浄ノズル１０２とが備えられ、殺菌消臭水生成装置１の水圧シリンダ内で水３と第１の薬液６６及び第２の薬液６７が混合して、殺菌消臭水生成装置１と接続するスプレー洗浄ノズル１０２から、前方に膨らみを有するように立体放射状に殺菌消臭水１５を噴射することで、小便器本体１０１の内面と排水管内部と床面とを僅かな量の殺菌消臭水で殺菌消臭する。【選択図】図１
2020060083.tif 000002
【特許請求の範囲】
【請求項１】
水と第１の薬液と第２の薬液とを混合して殺菌消臭水を生成するための殺菌消臭水生成装置を備えた節水小便器であって、
三方口電磁弁を介して給水栓に接続される水圧シリンダと、
該水圧シリンダ内を進退可能なピストンと、
前記第１の薬液を貯留する第１の薬液容器と、
該第１の薬液容器に第１の送液管を介して接続された第１の薬液シリンダ筒と、
前記ピストンの進退動作に伴って前記第１の薬液シリンダ筒内を進退可能に設けられる第１の薬液シリンダロッド及び第１の薬液シリンダピストンと、
前記第１の薬液シリンダ筒に接続される第１の逆止弁と、
前記水圧シリンダと前記第１の薬液シリンダ筒に接続される第２の逆止弁と、
前記第２の薬液を貯留する第２の薬液容器と、
該第２の薬液容器に第２の送液管を介して接続された第２の薬液シリンダ筒と、
前記ピストンの進退動作に伴って前記第２の薬液シリンダ筒内を進退可能に設けられる第２の薬液シリンダロッド及び第２の薬液シリンダピストンと、
前記第２の薬液シリンダ筒に接続される第３の逆止弁と、
前記水圧シリンダと前記第２の薬液シリンダ筒に接続される第４の逆止弁と、
を備え、
前記給水栓から前記三方口電磁弁を介して前記水圧シリンダ内に供給された前記水と、前記第１の薬液容器から前記第１の送液管と前記第１の逆止弁を介して前記第１の薬液シリンダ筒内の前記第１の薬液シリンダロッド及び前記第１の薬液シリンダピストンとの間に供給された前記第１の薬液が、前記第２の逆止弁を介して前記水圧シリンダ内に送出されると同時に、前記第２の薬液容器から前記第２の送液管と前記第３の逆止弁を介して前記第２の薬液シリンダ筒内の前記第２の薬液シリンダロッド及び前記第２の薬液シリンダピストンとの間に供給された前記第２の薬液が、前記第４の逆止弁を介して前記水圧シリンダ内に送出されて前記水と混合されることによって、殺菌消臭水を生成することを特徴とする殺菌消臭水生成装置を備えた節水小便器。
【請求項２】
水と第１の薬液と第２の薬液とを混合して殺菌消臭水を生成するための殺菌消臭水生成装置を備えた節水小便器であって、
三方口電磁弁を介して給水栓に接続される水圧シリンダと、
該水圧シリンダ内を進退可能なピストンと、
前記第１の薬液を貯留する第１の薬液容器と、
該第１の薬液容器に第１の送液管を介して接続されると共に前記水圧シリンダ内を進退可能な前記ピストンに接続された第１の薬液シリンダと、
前記第１の薬液シリンダ内を進退可能に設けられる第１の薬液シリンダロッド及び第１の薬液シリンダ内に付勢された第１の薬液シリンダスプリングと、
前記第１の薬液シリンダ内を進退可能に設けられる第１の薬液シリンダロッド及び第１の薬液シリンダピストンを押し出す第１の押出し軸と、
前記第１の薬液容器に前記第１の送液管を介して接続される第１の逆止弁と、
前記第１の薬液容器に前記第１の送液管を介して接続されると共に前記水圧シリンダ内を進退可能な前記ピストンに接続された第２の逆止弁と、
前記第２の薬液を貯留する第２の薬液容器と、
該第２の薬液容器に第２の送液管を介して接続されると共に前記水圧シリンダ内を進退可能な前記ピストンに接続された第２の薬液シリンダと、
前記第２の薬液シリンダ内を進退可能に設けられる第２の薬液シリンダロッド及び第２の薬液シリンダピストンを押し出す第２の押出し軸と、
前記第２の薬液シリンダ内を進退可能に設けられる前記第２の薬液シリンダロッド及び前記第２の薬液シリンダ内に付勢された第２の薬液シリンダスプリングと、
前記第２の薬液容器に前記第２の送液管を介して接続される第３の逆止弁と、
前記第２の薬液容器に前記第２の送液管を介して接続されると共に前記水圧シリンダ内を進退可能な前記ピストンに接続された第４の逆止弁と、
を備え、
前記給水栓から前記三方口電磁弁を介して前記ピストンの進退動作に伴って前記水圧シリンダ内に供給された前記水と、前記第１の薬液容器から前記第１の薬液が、前記第１の送液管及び前記第１の逆止弁と、前記水圧シリンダ内を進退可能な前記ピストンに接続された前記第１の薬液シリンダ内に付勢する前記第１の薬液シリンダスプリングによって、前記第１の薬液シリンダロッド及び前記第１の薬液シリンダピストンが、進退可能に任意の位置で調整固定されて薬液量を増減出来る前記第１の押出し軸に押圧されて、前記第２の逆止弁を介して前記水圧シリンダ内で前記水と混合されると同時に、前記第２の薬液容器から前記第２の薬液が、前記第２の送液管及び前記第３の逆止弁と、前記水圧シリンダ内を進退可能な前記ピストンに接続された前記第２の薬液シリンダ内に付勢する前記第２の薬液シリンダスプリングによって、前記第２の薬液シリンダロッド及び前記第２の薬液シリンダピストンが、進退可能に任意の位置で調整固定されて薬液量を増減出来る前記第２の押出し軸に押圧されて、前記第４の逆止弁を介して前記水圧シリンダ内で前記水と混合されることによって、殺菌消臭水を生成することを特徴とする殺菌消臭水生成装置を備えた節水小便器。
【請求項３】
前記第１の薬液は次亜塩素酸ナトリウムを含み、前記第２の薬液は塩酸を含んでいることを特徴とする請求項１又は２に記載の殺菌消臭水生成装置を備えた節水小便器。
【請求項４】
請求項１〜３のいずれか１の請求項に記載の殺菌消臭水生成装置を備えた節水小便器であって、
前記殺菌消臭水生成装置を備えた節水小便器の上部にスプレー洗浄ノズルが設けられ、該スプレー洗浄ノズルは、前方に膨らみを有するように立体放射状に前記殺菌消臭水を噴射可能なように構成されていることを特徴とする殺菌消臭水生成装置を備えた節水小便器。
【請求項５】
請求項１〜３のいずれか１の請求項に記載の殺菌消臭水生成装置を備えた節水小便器は、小便器本体を取り除くと、家庭用あるいは業務用の殺菌消臭水生成装置となることを特徴とする殺菌消臭水生成装置を備えた節水小便器。
【発明の詳細な説明】
【技術分野】
【０００１】  本発明は、２種類の薬液と水とを混合して殺菌消臭水生成装置により生成された殺菌消臭水を洗浄水として小便器に供給するための殺菌消臭水生成装置を備えた節水小便器に関するものである。
【背景技術】
【０００２】  従来、小便器の使用後に流される洗浄水の量を削減するため、１回当たりの使用量が０．８〜１．２リットル程度の電気分解方式による次亜塩素酸水生成装置を内蔵した節水型の小便器が開発されている。【０００３】  しかし、水道水のみを電気分解する方式では次亜塩素酸濃度に限界があるため殺菌消臭力が小さく、それだけで洗浄水の使用量を少なくすると、例えば、小便器排水口にあるトラップ（排水管からの臭気の逆流を防ぐ水溜り）に溜まる尿と水の置換率低下によって菌が発生する要因となったり、或いは、尿石発生により排水管の詰まりや臭気発生の要因となったりする問題があるため、節水には限界があった。【０００４】  そこで、小便器の洗浄に薬液を用いることも行われており、例えば、薬液容器及び供給容器からなる薬液供給部からの薬液の量と給水栓及び給水管からの水量とを開閉弁を制御することにより調整する水洗式小便器の薬剤溶液注入装置などが提案されている（特許文献１及び特許文献２参照）。【０００５】  また、上記した小便器洗浄の用途以外の、食品加工、農業畜産、医療、環境などの各分野において、次亜塩素酸水を使用して殺菌消臭水を生成し、この殺菌消臭水を利用して各種機器などを洗浄することも行われている（例えば、非特許文献１参照）。
【先行技術文献】
【特許文献】
【０００６】
【特許文献１】特開２００３−１５５７６８号公報
【特許文献２】特開２０１３−２４１７６７号公報
【非特許文献】
【０００７】
【非特許文献１】株式会社ハセッパー技研（ｈｔｔｐ：／／ｗｗｗ．ｈａｃｃｐｐｅｒ．ｃｏ．ｊｐ／ｉｎｄｅｘ．ｈｔｍｌ）
【発明の概要】
【発明が解決しようとする課題】
【０００８】  しかしながら、上記した特許文献１に記載の技術では、水洗式小便器において薬剤溶液注入装置の薬液供給部は、薬液容器及び供給容器の他に高額な微量定量ポンプを必要とする一方、開閉弁や微量定量ポンプを制御する独立した制御装置を必要とするため、装置全体が複雑になると共にコストが増大するといった問題があった。【０００９】  また、上記した特許文献２に記載の技術では、水と塩酸の混合時に発生する溶解熱によって混合部の冷却が必要になる問題があった。
また、上記した非特許文献１に記載の技術では、殺菌消臭水を生成する装置が複雑化すると共に大型化するといった問題があった。【００１０】  本発明は、上記した課題を解決するべくなされたものであり、小型化及び低コストで節水及び殺菌消臭を図ることの出来る殺菌消臭水生成装置を備えた節水小便器を提供する目的とするものである。
【課題を解決するための手段】
【００１１】  上記した目的を達成するため、本発明は、水と第１の薬液と第２の薬液とを混合して殺菌消臭水を生成するための殺菌消臭水生成装置を備えた節水小便器であって、三方口電磁弁を介して給水栓に接続される水圧シリンダと、該水圧シリンダ内を進退可能なピストンと、前記第１の薬液を貯留する第１の薬液容器と、該第１の薬液容器に第１の送液管を介して接続された第１の薬液シリンダ筒と、前記ピストンの進退動作に伴って前記第１の薬液シリンダ筒内を進退可能に設けられる第１の薬液シリンダロッド及び第１の薬液シリンダピストンと、前記第１の薬液シリンダ筒に接続される第１の逆止弁と、前記水圧シリンダと前記第１の薬液シリンダ筒に接続される第２の逆止弁と、前記第２の薬液を貯留する第２の薬液容器と、該第２の薬液容器に第２の送液管を介して接続された第２の薬液シリンダ筒と、前記ピストンの進退動作に伴って前記第２の薬液シリンダ筒内を進退可能に設けられる第２の薬液シリンダロッド及び第２の薬液シリンダピストンと、前記第２の薬液シリンダ筒に接続される第３の逆止弁と、前記水圧シリンダと前記第２の薬液シリンダ筒に接続される第４の逆止弁と、を備え、前記給水栓から前記三方口電磁弁を介して前記水圧シリンダ内に供給された前記水と、前記第１の薬液容器から前記第１の送液管と前記第１の逆止弁を介して前記第１の薬液シリンダ筒内の前記第１の薬液シリンダロッド及び前記第１の薬液シリンダピストンとの間に供給された前記第１の薬液が、前記第２の逆止弁を介して前記水圧シリンダ内に送出されると同時に、前記第２の薬液容器から前記第２の送液管と前記第３の逆止弁を介して前記第２の薬液シリンダ筒内の前記第２の薬液シリンダロッド及び前記第２の薬液シリンダピストンとの間に供給された前記第２の薬液が、前記第４の逆止弁を介して前記水圧シリンダ内に送出されて前記水と混合されることによって、殺菌消臭水を生成する殺菌消臭水生成装置を備えた節水小便器であることを特徴とする。【００１２】  また、本発明は、水と第１の薬液と第２の薬液とを混合して殺菌消臭水を生成するための殺菌消臭水生成装置を備えた節水小便器であって、三方口電磁弁を介して給水栓に接続される水圧シリンダと、該水圧シリンダ内を進退可能なピストンと、前記第１の薬液を貯留する第１の薬液容器と、該第１の薬液容器に第１の送液管を介して接続されると共に前記水圧シリンダ内を進退可能な前記ピストンに接続された第１の薬液シリンダと、前記第１の薬液シリンダ内を進退可能に設けられる第１の薬液シリンダロッド及び第１の薬液シリンダ内に付勢された第１の薬液シリンダスプリングと、前記第１の薬液シリンダ内を進退可能に設けられる第１の薬液シリンダロッド及び第１の薬液シリンダピストンを押し出す第１の押出し軸と、前記第１の薬液容器に前記第１の送液管を介して接続される第１の逆止弁と、前記第１の薬液容器に前記第１の送液管を介して接続されると共に前記水圧シリンダ内を進退可能な前記ピストンに接続された第２の逆止弁と、前記第２の薬液を貯留する第２の薬液容器と、該第２の薬液容器に第２の送液管を介して接続されると共に前記水圧シリンダ内を進退可能な前記ピストンに接続された第２の薬液シ��ンダと、前記第２の薬液シリンダ内を進退可能に設けられる第２の薬液シリンダロッド及び第２の薬液シリンダピストンを押し出す第２の押出し軸と、前記第２の薬液シリンダ内を進退可能に設けられる前記第２の薬液シリンダロッド及び前記第２の薬液シリンダ内に付勢された第２の薬液シリンダスプリングと、前記第２の薬液容器に前記第２の送液管を介して接続される第３の逆止弁と、前記第２の薬液容器に前記第２の送液管を介して接続されると共に前記水圧シリンダ内を進退可能な前記ピストンに接続された第４の逆止弁と、
を備え、前記給水栓から前記三方口電磁弁を介して前記ピストンの進退動作に伴って前記水圧シリンダ内に供給された前記水と、前記第１の薬液容器から前記第１の薬液が、前記第１の送液管及び前記第１の逆止弁と、前記水圧シリンダ内を進退可能な前記ピストンに接続された前記第１の薬液シリンダ内に付勢する前記第１の薬液シリンダスプリングによって、前記第１の薬液シリンダロッド及び前記第１の薬液シリンダピストンが、進退可能に任意の位置で調整固定されて薬液量を増減出来る前記第１の押出し軸に押圧されて、前記第２の逆止弁を介して前記水圧シリンダ内で前記水と混合されると同時に、前記第２の薬液容器から前記第２の薬液が、前記第２の送液管及び前記第３の逆止弁と、前記水圧シリンダ内を進退可能な前記ピストンに接続された前記第２の薬液シリンダ内に付勢する前記第２の薬液シリンダスプリングによって、前記第２の薬液シリンダロッド及び前記第２の薬液シリンダピストンが、進退可能に任意の位置で調整固定されて薬液量を増減出来る前記第２の押出し軸に押圧されて、前記第４の逆止弁を介して前記水圧シリンダ内で前記水と混合されることによって、殺菌消臭水を生成する殺菌消臭水生成装置を備えた節水小便器であることを特徴とする。【００１３】  また、本発明に係る殺菌消臭水生成装置を備えた節水小便器に於いて、前記第１の薬液は次亜塩素酸ナトリウムを含み、前記第２の薬液は塩酸を含むことを特徴としている。【００１４】  また、本発明は、上記したいずれかの殺菌消臭水生成装置を備えた節水小便器の上部にスプレー洗浄ノズルが設けられ、該スプレー洗浄ノズルは、前方に膨らみを有するように立体放射状に前記殺菌消臭水を噴射可能なように構成されていることを特徴とする。【００１５】  また、本発明は、殺菌消臭水生成装置を備えた節水小便器から小便器本体を取り除くと、家庭用あるいは業務用の殺菌消臭水生成装置として利用出来ることを特徴とする。
【発明の効果】
【００１６】  本発明によれば、第１の薬液が次亜塩素酸ナトリウムで、第２の薬液が塩酸であった時に、水と塩酸が混合される際に生じる溶解熱が、水圧シリンダ内に流入する水に冷却されて高温化を防ぎ、なお且つ装置を簡素化及び小型化することが出来て、イニシャルコスト及びランニングコストを削減することが出来る等、種々の優れた効果を得ることが出来る。
【図面の簡単な説明】
【００１７】
【図１】  本発明の実施の形態に係る殺菌消臭水生成装置を備えた節水小便器を示す斜視図である。
【図２】  本発明の第１の実施の形態に係る殺菌消臭水生成装置を備えた節水小便器において、小便器本体を除いて水圧シリンダ内に水と第１薬液及び第２薬液を供給したときのスプリング圧縮時状態を示す断面図である。
【図３】  本発明の第１の実施の形態に係る殺菌消臭水生成装置を備えた節水小便器において、小便器本体を除いて殺菌消臭水を排出状態でスプリング伸長時を示す断面図である。
【図４】  本発明の第１の実施の形態に係る殺菌消臭水生成装置を備えた節水小便器において、第１及び第２の逆止弁による薬液吸入動作を示す断面図である。
【図５】  本発明の第１の実施の形態に係る殺菌消臭水生成装置を備えた節水小便器において第１及び第２の逆止弁による薬液排出動作を示す断面図である。
【図６】  本発明の第２の実施の形態に係る殺菌消臭水生成装置を備えた節水小便器において、小便器本体を除いて水圧シリンダ内に水と第１薬液及び第２薬液を供給したときのスプリング圧縮時状態を示す断面図である。
【図７】  本発明の第２の実施の形態に係る殺菌消臭水生成装置を備えた節水小便器において、小便器本体を除いて殺菌消臭水を排出状態でスプリング伸長時を示す断面図である。
【図８】  図８は本発明の第２の実施の形態に係る殺菌消臭水生成装置を備えた節水小便器の殺菌消臭水生成装置において、小便器本体及び薬液供給部を取り除いて水圧シリンダ内に水と第１薬液及び第２薬液を供給したときの薬液シリンダと逆止弁の状態を示す断面図である。
【図９】  本発明の第１の実施の形態に係る殺菌消臭水生成装置を備えた節水小便器の殺菌消臭水生成装置において、小便器本体及び薬液供給部を取り除いてスプレー洗浄ノズルから殺菌消臭水を噴霧する状態を示す断面図である。
【発明を実施するための形態】
【００１８】  以下、図面を参照しつつ、本発明の実施の形態について説明する。
【００１９】  先ず、図１を参照しつつ、殺菌消臭水生成装置１、７０を備えた節水小便器における第１〜第２の実施の形態に係る殺菌消臭水生成装置１，７０により生成された殺菌消臭水１５を洗浄水とする殺菌消臭水生成装置１、７０を備えた節水小便器について説明する。
【００２０】  ここで、図１は殺菌消臭水生成装置１、７０を備えた節水小便器を示す斜視図である。
【００２１】  殺菌消臭水生成装置１、７０を備えた節水小便器は、小便器本体１０１の上部に取り付けられるスプレー洗浄ノズル１０２を備えている。このスプレー洗浄ノズル１０２は、例えば、図１において点線で示す殺菌消臭水１５のように、前方に膨らみを有するように立体放射状に前記殺菌消臭水１５を噴射可能なように構成されている。
【００２２】  該殺菌消臭水１５をこのように立体放射状に噴射することにより、従来の小便器洗浄ノズル方式であるスプレッダノズル洗浄方式と比較して、より少ない水量でより多くの小便器内面を殺菌消臭することが出来ると共に、小便器本体１０１の周囲の床を殺菌消臭することも出来るため、殺菌消臭水生成装置１、７０を備えた節水小便器が設置される便所を衛生的に保つことが出来る。
【００２３】  また、殺菌消臭水生成装置１、７０を備えた節水小便器は、小便器本体１０１に扉を付けて薬液供給部６０を内蔵することが出来るが、小便器本体１０１の外部に取付けると薬液ケース６５に入れて薬液交換をしやすく出来る。
【００２４】  また、第１の薬液６６を次亜塩素酸ナトリウムとし、第２の薬液６７を塩酸とすることで強力な殺菌消臭水１５である次亜塩素酸水を生成することが出来る。
【００２５】  本発明の、第１の実施の形態に係る殺菌消臭水生成装置１を備えた節水小便器、又は、第２の実施の形態に係る殺菌消臭水生成装置７０を備えた節水小便器は、小便器本体１０１を取り除くと、家庭用あるいは業務用の殺菌消臭を目的とした殺菌消臭水生成装置１、７０として利用出来る。
【００２６】  次に、図２〜図５を参照しつつ、本発明の第１の実施の形態に係る殺菌消臭水生成装置１を備えた節水小便器について詳細に説明する。
【００２７】  ここで、図１は本発明の実施の形態に係る殺菌消臭水生成装置１を備えた節水小便器示す斜視図、図２は本発明の第１の実施の形態に係る殺菌消臭水生成装置１を備えた節水小便器において、小便器本体１０１を除いて水圧シリンダ６内に水３と第１の薬液６６及び第２の薬液６７を供給したときの水圧シリンダスプリング１４の圧縮時状態を示す断面図、図３は本発明の第１の実施の形態に係る殺菌消臭水生成装置１を備えた節水小便器において、小便器本体１０１を除いて殺菌消臭水１５を排出状態で水圧シリンダスプリング１４の伸長時を示す断面図、図４は本発明の第１の実施の形態に係る殺菌消臭水生成装置１を備えた節水小便器において、第１の逆止弁８及び第２の逆止弁９による薬液吸入動作を示す断面図、図５は本発明の第１の実施の形態に係る殺菌消臭水生成装置１を備えた節水小便器において、第１の逆止弁８及び第２の逆止弁９による薬液排出動作を示す断面図である。
【００２８】  本実施の形態に係る殺菌消臭水生成装置１を備えた節水小便器の殺菌消臭水生成装置１は、給水栓２及び給水管３６から、逆止弁４及び三方口電磁弁５を介して給水管３６に接続される水圧シリンダ６と、水圧シリンダ６内を進退可能なピストン７と、第１の薬液６６を貯留する第１の薬液容器６１と、第１の薬液容器６１に第１の送液管６３を介して接続される第１の薬液シリンダ筒２６と、ピストン７の進退動作に伴って第１の薬液シリンダ筒２６内を進退可能に設けられる第１の薬液シリンダロッド２８及び第１の薬液シリンダピストン３０と、第１の薬液容器６１に第１の送液管６３を介して接続されると共に第１の薬液シリンダ筒２６に接続される第１の逆止弁８と、ピストン７の第１の薬液シリンダ筒２６に第２の送液管６４を介して接続される第２の逆止弁９と、第２の薬液６７を貯留する第２の薬液容器６２と、第２の薬液容器６２に第３の送液管６８を介して接続される第２の薬液シリンダ筒２７と、ピストン７の進退動作に伴って第２の薬液シリンダ筒２７内を進退可能に設けられる第２の薬液シリンダロッド２９及び第２の薬液シリンダピストン３１と、第２の薬液容器６２に第３の送液管６８を介して接続されると共に第２の薬液シリンダ筒２７に接続される第３の逆止弁１０と、ピストン７の進退動作に伴って第２の薬液シリンダ筒２７に第４の送液管６９を介して接続される第４の逆止弁１１と、水圧シリンダ６と接続された三方口電磁弁５に接続されるスプレー調整バルブ１０３と、スプレー調整バルブ１０３と接続された排水管５０と、排水管５０と接続されたスプレー洗浄ノズル１０２と、制御盤１０４と、を備えて構成されている。
【００２９】  水道の給水栓２と、給水栓２に接続される給水管３６と、給水管３６と三方口電磁弁５との途中に接続される逆止弁４と、を備えており、給水栓２からは水圧０．２４〜０．７４Ｍｐａの水３が供給されるようになっている。
【００３０】  水圧シリンダ６は、円筒形状のシリンダチューブ３３と、シリンダチューブ３３の一端に固定される一端側固定部３２と、シリンダチューブ３３の他端に固定される他端側固定部３４と、を備えている。一端側固定部３２はシリンダチューブ３３の一端を閉塞するように装着され、その中央部には接続口３５が形成されており、この接続口３５に三方口電磁弁５がニップル３７を介して接続されている。
【００３１】  他端側固定部３４にはシリンダチューブ３３の他端開口に合せて円形状の開口部３８が形成されており、他端側固定部３４に対して平行にバネ受部３９が固定されている。バネ受部３９には中心に丸孔４０が形成されていると共に前記丸孔４０を挟むように前記丸孔４０の両側にそれぞれ第１支持孔４１及び第２支持孔４２が形成されている。
【００３２】  ピストン７は円板形状を成し、その中心にはピストンロッド４３が突設され、ピストンロッド４３はバネ受部３９の丸孔４０を遊貫している。ピストンロッド４３には円錐状の水圧シリンダスプリング１４が周設されており、この水圧シリンダスプリング１４は他端側固定部３４のバネ受部３９と、ピストン７のバネ受部４４との間に介装されている。水圧シリンダスプリング１４の大径部はバネ受部３９に支持され、水圧シリンダスプリング１４の頂部側小径部はピストン７に支持され、ピストン７はこの水圧シリンダスプリング１４によって一端側に付勢されている。
【００３３】  ピストン７には、ピストンロッド４３を挟むように該ピストンロッド４３両側にそれぞれ第１の薬液シリンダロッド２８及び第２の薬液シリンダロッド２９が突設されている。
【００３４】  第１の薬液シリンダ筒２６は長円筒形状を成し、その一端部４５の外周部分は螺刻されている。第１の薬液シリンダ筒２６の一端部４５はバネ受部３９の第１支持孔４１を貫通しており、バネ受部３９を挟むように一端部４５に螺合するナット４６により、第１の薬液シリンダ筒２６は他端側固定部３４に系設された支持板５３に固定されている。
【００３５】  また、第１の薬液シリンダ筒２６と同様に、第２の薬液シリンダ筒２７は長円筒形状を成し、その一端部４７の外周部分は螺刻されている。第２の薬液シリンダ筒２７の一端部４７はバネ受部４４の第２支持孔４２を貫通しており、バネ受部４４を挟むように一端部４７に螺合するナット４６により、第２の薬液シリンダ筒２７は他端側固定部３４に系設された支持板５３に固定されている。
【００３６】  第１の逆止弁８は、第１の薬液シリンダ筒２６におよそ直角位置で支持されている。図４及び図５に示されているように、第１の逆止弁８にはパッキンａ４８が設けられ、パッキンａ４８の端面をスプリング４９が付勢し、第１の薬液シリンダ筒２６と接続されている。
【００３７】  また、第２の逆止弁９は、一端側固定部３２に付設し、第２の逆止弁９にはパッキンｂ５２が設けられ、パッキンｂ５２の端面をスプリング５１が付勢され、第１の薬液シリンダ筒２６と接続されている。
【００３８】  第３の逆止弁１０は、第２の薬液シリンダ筒２７におよそ直角位置で支持されている。図４及び図５に示されているように、第３の逆止弁１０にはパッキンｂ５２が設けられ、パッキンｂ５２の端面をスプリング５１が付勢し、第２の薬液シリンダ筒２７と接続されている。
【００３９】  第４の逆止弁１１は、一端側固定部３２に付設し、第１の逆止弁８にはパッキンａ４８が設けられ、パッキンａ４８の端面をスプリング４９が付勢し、第２の薬液シリンダ筒２７と接続されている。
【００４０】  なお、第３の補助逆止弁１２は、第１の薬液シリンダ筒２６におよそ水平位置で支持されている。図４及び図５に示されているように、第３の補助逆止弁１２にはパッキンｂ５２が設けられ、パッキンｂ５２の端面をスプリング５１が付勢し、第２の薬液シリンダ筒２７と接続されている。
【００４１】  また、第４の補助逆止弁１３は、第２の薬液シリンダ筒２７におよそ水平位置で支持されている。図４及び図５に示されているように、第３の補助逆止弁１２にはパッキンｂ５２が設けられ、パッキンｂ５２の端面をスプリング５１が付勢し、第２の薬液シリンダ筒２７と接続されている。
【００４２】  制御盤１０４は、殺菌消臭水生成装置１を備えた節水小便器の人感センサー制御や三方口電磁弁５のオンオフ制御等を行っている。
【００４３】  次に、図面を参照しつつ、上記した構成を備えた本発明の第１の実施の形態に係る殺菌消臭水生成装置１を備えた節水小便器の殺菌消臭水生成装置１の作用について説明する。
【００４４】  図２に示すように、三方口電磁弁５が給水栓２に接続された給水管３６と水圧シリンダ６とを連通する向きに動作され、給水栓２から水圧０．２４〜０．７４Ｍｐａで水３が吐出されると、該水３は、給水管３６、逆止弁４、三方口電磁弁５、ニップル３７、及び接続口３５を通って、水圧シリンダ６内に流入する。水圧シリンダ６内に該水３が流入した時の圧力により、ピストン７はピストンロッド４３と第１の薬液シリンダロッド２８及び第１の薬液シリンダピストン３０と第２の薬液シリンダロッド２９及び第２の薬液シリンダピストン３１と共に水圧シリンダスプリング１４の付勢力に抗して他端側のピストン押出方向矢印２０の側に後退する。
【００４５】  そして、水圧シリンダ６内に水３が流入すると、図５に示すように、第１の薬液シリンダ筒２６内の第１の薬液シリンダロッド２８及び第１の薬液シリンダピストン３０に押し出された第１の薬液６６と、第２の薬液シリンダ筒２７内の第２の薬液シリンダロッド２９及び第２の薬液シリンダピストン３１に押し出された第２の薬液６７が、第３の送液管６８あるいは第４の送液管６９を通って、それぞれの第２の逆止弁９と、第４の逆止弁１１の中のスプリング５１を圧縮してパッキンｂ５２を開き、水圧シリンダ６内に吐出し、水３と混合され、殺菌消臭水１５が生成される。
【００４６】  とくに、水圧シリンダ６内に水３と第２の薬液６７が流入して混合されるときに、第２の薬液６７が塩酸である場合は溶解熱が発生するが、前記水３の水温によって冷却されることにより水圧シリンダ６内の温度上昇は避けられる。
【００４７】  次いで、図３に示すように、三方口電磁弁５が水圧シリンダ６とスプレー洗浄ノズル１０２とを連通する向きに動作すると、ピストン７が水圧シリンダスプリング１４の付勢力により一端側のピストン戻り方向矢印２１の側に前進する。
【００４８】  この時、図４に示すように、第１の薬液シリンダ筒２６内の第１の薬液シリンダロッド２８及び第１の薬液シリンダピストン３０と、第１の逆止弁８のパッキンａ４８との間にあった第１の薬液６６が、スプリング４９を圧縮してパッキンａ４８を開いて吸引され第１の薬液シリンダ筒２６内に待機する。
【００４９】  同様に、図４に示すように、第２の薬液シリンダ筒２７内の第２の薬液シリンダロッド２９及び第２の薬液シリンダピストン３１と第３の逆止弁１０のパッキンａ４８との間に第２の薬液６７が吸引され第２の薬液シリンダ筒２７内に待機する。
【００５０】  次に、図３に示すように、三方口電磁弁５がスプレー洗浄ノズル１０２と水圧シリンダ６とを連通する向きに動作されると、水圧シリンダ６内にある殺菌消臭水１５は、接続口３５、ニップル３７、三方口電磁弁５、スプレー調整バルブ１０３、排水管５０を通ってスプレー洗浄ノズル１０２から放射状にスプレー噴射される。
【００５１】  なお、第３の補助逆止弁１２及び第４の補助逆止弁１３は、第２の送液管６４及び第４の送液管６９の送液が円滑に行われるように第２の逆止弁９及び第４の逆止弁１１の補助としている。
【００５２】  また、第１の薬液シリンダ筒２６、及び第２の薬液シリンダ筒２７が固定されている支持板５３は他端側固定部３４に固定されている。
【００５３】  また、本実施例の第１の薬液シリンダ筒２６及び第２の薬液シリンダ筒２７の吸排薬液量は、第１の薬液シリンダ筒２６及び第２の薬液シリンダ筒２７の内径と水圧シリンダ６の移動ストロークに依存しているため定容量となっている。
【００５４】  次に、図６〜図９を参照しつつ、本発明の第２の実施の形態に係る殺菌消臭水生成装置７０を備えた節水小便器について詳細に説明する。
【００５５】  ここで、図６は本発明の第２の実施の形態に係る殺菌消臭水生成装置７０を備えた節水小便器において、小便器本体１０１を除いて水圧シリンダ７８内に水３と第１の薬液６６及び第２の薬液６７を供給したときの水圧シリンダスプリング７５の圧縮時状態を示す断面図、図７は本発明の第２の実施の形態に係る殺菌消臭水生成装置７０を備えた節水小便器において、小便器本体１０１を除いて殺菌消臭水１５を排出状態で水圧シリンダスプリング７５の伸長時を示す断面図、図８は本発明の第２の実施の形態に係る殺菌消臭水生成装置７０を備えた節水小便器の殺菌消臭水生成装置７０において、小便器本体１０１及び薬液供給部６０を取り除いて水圧シリンダ７８内に水３と第１の薬液６６及び第２の薬液６７を供給したときの第１の薬液シリンダ７６と第２の薬液シリンダ７７と、第１、２、３、４の逆止弁状態を示す断面図、図９は本発明の第１の実施の形態に係る殺菌消臭水生成装置７０を備えた節水小便器の殺菌消臭水生成装置７０において、小便器本体１０１及び薬液供給部６０を取り除いて第１の薬液シリンダ７６及び第２の薬液シリンダ７７に第１の薬液６６及び第２の薬液６７を吸引すると共に、スプレー洗浄ノズル１０２から殺菌消臭水１５を噴霧する状態を示す断面図である。
【００５６】  本実施の形態に係る殺菌消臭水生成装置７０を備えた節水小便器の殺菌消臭水生成装置７０は、給水栓２に接続された給水管３６から、逆止弁４及び三方口電磁弁５を介して給水管３６に接続される水圧シリンダ６と、水圧シリンダ６内を進退可能なピストン７９と、第１の薬液６６を貯留する第１の薬液容器６１と、第１の薬液容器６１に第１の送液管６３を介して接続される第１の薬液シリンダ７６と、第１の薬液シリンダ７６内を進退可能に設けられる第１の薬液シリンダロッド２８及び第１の薬液シリンダピストン３０と、第１の薬液シリンダ７６内のバネ受部８５とバネ受部８６の間に付勢された第１の薬液シリンダスプリング８２と、第１の薬液容器６１に第１の送液管６３を介して接続されると共に第１の薬液シリンダ７６に接続される第１の逆止弁７１と、ピストン７９の進退動作に伴って第１の薬液シリンダ７６と接続する第２の逆止弁９と、第２の薬液６７を貯留する第２の薬液容器６２と、第２の薬液容器６２に第３の送液管６８を介して接続される第２の薬液シリンダ７７と、第２の薬液シリンダ７７内を進退可能に設けられる第２の薬液シリンダロッド２９及び第２の薬液シリンダピストン３１と、第２の薬液シリンダ７７内のバネ受部８５と、バネ受部８６の間に付勢された第２の薬液シリンダスプリング８３と、第２の薬液容器６２に第３の送液管６８を介して接続されると共に第２の薬液シリンダ７７に接続される第３の逆止弁７３と、ピストン７９の進退動作に伴って第２の薬液シリンダ７７と接続する第４の逆止弁１１と、水圧シリンダ６と接続された三方口電磁弁５に接続されるスプレー調整バルブ１０３と、スプレー調整バルブ１０３と接続された排水管５０と、排水管５０と接続されたスプレー洗浄ノズル１０２と、制御盤１０４と、を備えて構成されている。
【００５７】  水道の給水栓２と、給水栓２に接続される給水管３６と、給水管３６と三方口電磁弁５とのの途中に接続される逆止弁４と、を備えており、給水栓２からは水圧０．２４〜０．７４Ｍｐａの水３が供給されるようになっている。
【００５８】  水圧シリンダ７８は、円筒形状のシリンダチューブ３３と、シリンダチューブ３３の一端に固定される一端側固定部３２と、シリンダチューブ３３の他端に固定される他端側固定部３４と、を備えている。一端側固定部３２はシリンダチューブ３３の一端を閉塞するように装着され、その中央部には接続口３５が形成されており、この接続口３５に三方口電磁弁５がニップル３７を介して接続されている。
【００５９】  他端側固定部３４にはシリンダチューブ３３の他端開口に合せて円形状の開口部３８が形成されており、他端側固定部３４に対して平行にバネ受部３９が固定されている。
【００６０】  ピストン７９は円板形状を成し、ピストン７９には複数個の水圧シリンダスプリング７５が周設されており、この水圧シリンダスプリング７５は他端側固定部３４のバネ受部３９と、ピストン７９のバネ受部４４との間に介装されている。水圧シリンダスプリング７５の一端はバネ受部３９に支持され、水圧シリンダスプリング７５の他端部はピストン７９に支持され、ピストン７９はこの水圧シリンダスプリング７５によって一端側に付勢されている。
【００６１】  ピストン７９には、中心部を挟むように両側にそれぞれ第１の薬液シリンダ７６及び第２の薬液シリンダ７７と、第１の逆止弁７１及び第３の逆止弁７３と、さらに、反対面に第２の逆止弁９及び第４の逆止弁１１が付設されている。
【００６２】  第１の薬液シリンダ７６は長円筒形状を成し、内部には第１の薬液シリンダロッド２８及び第１の薬液シリンダピストン３０が第１の薬液シリンダスプリング８２によって進退可能に付勢され、第１の逆止弁７１と第１の薬液シリンダ７６と接続しており、他端側固定部３４の第１支持孔４１を貫通している。
【００６３】  また、第１の薬液シリンダ７６と同様に、第２の薬液シリンダ７７は長円筒形状を成し、内部には第２の薬液シリンダロッド２９及び第２の薬液シリンダピストン３１が第２の薬液シリンダスプリング８３によって進退可能に付勢され、第３の逆止弁７３と第２の薬液シリンダ７７と接続しており、他端側固定部３４の第２支持孔４２を貫通している。
【００６４】  第１の逆止弁７１は、第１の薬液シリンダ７６に並列に支持されている。図８及び図９に示されているように、第１の逆止弁７１にはパッキンａ４８が設けられ、パッキンａ４８の端面をスプリング４９が付勢し、第１の送液管６３と接続されている。
【００６５】  また、第２の逆止弁９は、第１の薬液シリンダ７６と同軸に付設し、第２の逆止弁９にはパッキンｂ５２が設けられ、パッキンｂ５２の端面をスプリング５１が付勢し、水圧シリンダ７８内と接続されている。
【００６６】  第３の逆止弁７３は、第２の薬液シリンダ７７に並列に支持されている。図８及び図９に示されているように、第３の逆止弁７３にはパッキンａ４８が設けられ、パッキンａ４８の端面をスプリング４９が付勢し、第２の送液管６４と接続されている。
【００６７】  第４の逆止弁１１は、第２の薬液シリンダ７７と同軸に付設し、第４の逆止弁１１にはパッキンｂ５２が設けられ、パッキンｂ５２の端面をスプリング５１が付勢し、水圧シリンダ７８内と接続されている。
【００６８】  第１の押出し軸８０は、長円筒形状を成し、その外周部分は螺刻されており、第１の薬液シリンダ７６と同軸に位置し、他端側固定部３４に接続された支持板５３と、ナット８４によって任意の位置で固定されている。
【００６９】  第２の押出し軸８１は、長円筒形状を成し、その外周部分は螺刻されており、第２の薬液シリンダ７７と同軸に位置し、他端側固定部３４に接続された支持板５３と、ナット８４によって任意の位置で固定されている。
【００７０】  次に、上記した構成を備えた本発明の第２の実施の形態に係る殺菌消臭水生成装置７０を備えた節水小便器の殺菌消臭水生成装置７０の作用について説明する。
【００７１】  図６及び図８に示すように、三方口電磁弁５が給水栓２と水圧シリンダ６とを連通する向きに動作され、給水栓２から水圧０．２４〜０．７４Ｍｐａで水３が吐出されると、該水３は、給水管３６、逆止弁４、三方口電磁弁５、ニップル３７、及び接続口３５を通って、水圧シリンダ６内に流入する。水圧シリンダ６内に該水３が流入した時の圧力により、ピストン７９はピストンロッド４３と第１の薬液シリンダロッド２８及び第１の薬液シリンダピストン３０と第２の薬液シリンダロッド２９及び第２の薬液シリンダピストン３１と共に水圧シリンダスプリング１４の付勢力に抗して他端側のピストン押出方向矢印２０の側に後退する。
【００７２】  この時、図６及び図８で示すように、第１の逆止弁７１と接続された第１の薬液シリンダ７６内の第１の薬液シリンダロッド２８及び第１の薬液シリンダピストン３０は、第１の押出し軸８０に押圧されて、第１の薬液シリンダスプリング８２がバネ受部８５とバネ受部８６間で、第１の押出し軸８０によって圧縮されつつ第２の逆止弁９のスプリング５１を圧縮してパッキンｂ５２を開き、水圧シリンダ７８内の第１の逆止弁７１と第１の薬液シリンダピストン３０の間に待機していた第１の薬液６６を送出する。
【００７３】  同様に、図６及び図８で示すように、第３の逆止弁７３と接続された第２の薬液シリンダ７７内の第２の薬液シリンダロッド２９及び第２の薬液シリンダピストン３１は、第２の押出し軸８１に押圧されて、第２の薬液シリンダスプリング８３がバネ受部８５とバネ受部８６間で、第２の押出し軸８１によって圧縮されつつ第４の逆止弁１１のスプリング５１を圧縮してパッキンｂ５２を開き、水圧シリンダ７８内の第３の逆止弁７３と第２の薬液シリンダピストン３１の間に待機していた第２の薬液６７を送出する。
【００７４】  なお、第１の薬液シリンダ７６及び第２の薬液シリンダ７７の吸排薬液量は、支持板５３に、外周を螺刻されて任意の位置で調整固定される第１の押出し軸８０の取付位置、或は同様に外周を螺刻されて任意の位置で調整固定される第２の押出し軸８１の取付位置を、それぞれナット８４で任意の位置で固定することで薬液量を増減出来る。
【００７５】  次いで、図７及び図９に示すように、三方口電磁弁５が水圧シリンダ６とスプレー洗浄ノズル１０２とを連通する向きに動作すると、ピストン７９が水圧シリンダスプリング７５の付勢力により一端側のピストン戻り方向矢印２１の側に前進し、水圧シリンダ６内に、水３と、第１の薬液シリンダ７６内の第１の薬液シリンダロッド２８及び第１の薬液シリンダピストン３０に押し出された第１の薬液６６と、第２の薬液シリンダ７７内の第２の薬液シリンダロッド２９及び第２の薬液シリンダピストン３１に押し出された第２の薬液６７が、第２の逆止弁９のスプリング５１を圧縮してパッキンｂ５２を開くと共に、第４の逆止弁１１のスプリング５１を圧縮してパッキンｂ５２を開き、水圧シリンダ７８内に流入し、水３と混合され、殺菌消臭水１５が生成される。
【００７６】  とくに、水圧シリンダ６内に水３と第２の薬液６７が流入して混合されるときに、第２の薬液６７が塩酸であるために溶解熱が発生するが、高希釈率であることに加えて水３の水温によって冷却されることにより水圧シリンダ６内の温度上昇は避けられる。
【００７７】  その後、殺菌消臭水１５は、接続口３５、ニップル３７、三方口電磁弁５、スプレー調整バルブ１０３、排水管５０を通ってスプレー洗浄ノズル１０２から放射状に噴霧される。
【００７８】  なお、第１の薬液シリンダ７６、及び第２の薬液シリンダ７７が固定されている支持板５３は他端側固定部３４に固定されている。
【符号の説明】      １          殺菌消臭水生成装置
２          給水栓
３          水
４          逆止弁
５          三方口電磁弁
６          水圧シリンダ
７          ピストン
８          第１の逆止弁
９          第２の逆止弁
１０        第３の逆止弁
１１        第４の逆止弁
１２        第３の補助逆止弁
１３        第４の補助逆止弁
１４        水圧シリンダスプリング
１５        殺菌消臭水
２０        ピストン押出方向矢印
２１        ピストン戻り方向矢印
２６        第１の薬液シリンダ筒
２７        第２の薬液シリンダ筒
２８        第１の薬液シリンダロッド
２９        第２の薬液シリンダロッド
３０        第１の薬液シリンダピストン
３１        第２の薬液シリンダピストン
３２        一端側固定部
３３        シリンダチューブ
３４        他端側固定部
３５        接続口
３６        給水管
３７        ニップル
３８        開口部
３９        バネ受部
４０        丸孔
４１        第１支持孔
４２        第２支持孔
４３        ピストンロッド
４４        バネ受部
４５        一端部
４６        ナット
４７        一端部
４８        パッキンａ
４９        スプリング
５０        排水管
５１        スプリング
５２        パッキンｂ
５３        支持板
６０        薬液供給部
６１        第１の薬液容器
６２        第２の薬液容器
６３        第１の送液管
６４        第２の送液管
６５        薬液ケース
６６        第１の薬液
６７        第２の薬液
６８        第３の送液管
６９        第４の送液管
７０        殺菌消臭水生成装置
７１        第１の逆止弁
７３        第３の逆止弁
７５        水圧シリンダスプリング
７６        第１の薬液シリンダ
７７        第２の薬液シリンダ
７８        水圧シリンダ
７９        ピストン
８０        第１の押出し軸
８１        第２の押出し軸
８２        第１の薬液シリンダスプリング
８３        第２の薬液シリンダスプリング
８４        ナット
８５        バネ受部
８６        バネ受部
１０１      小便器本体
１０２      スプレー洗浄ノズル
１０３      スプレー調整バルブ
１０４      制御盤
【図１】
2020060083.tif 000003
【図２】
2020060083.tif 000004
【図３】
2020060083.tif 000005
【図４】
2020060083.tif 000006
【図５】
2020060083.tif 000007
【図６】
2020060083.tif 000008
【図７】
2020060083.tif 000009
【図８】
2020060083.tif 000010
【図９】
2020060083.tif 000011